(57)【特許請求の範囲】
【請求項１】
脱水槽と、前記脱水槽内の底部に設けた撹拌翼と、前記脱水槽を外包する洗濯槽と、前記洗濯槽の底部に固着した動力伝達機構と、前記洗濯槽をサスペンションを介して支持する外枠と、前記脱水槽と撹拌翼を駆動するモータと、前記脱水槽と洗濯槽に給水を行う給水弁と、洗濯水の排水を行う排水弁と、制御部とを備え、前記脱水槽は、上下に分割された上段部と下段部を有し、洗濯終了時に前記下段部が前記動力伝達機構により上昇するようにした全自動洗濯機。
【請求項２】
撹拌翼は、脱水槽とともに上昇した位置からさらに上昇するようにした請求項１記載の全自動洗濯機。
【請求項３】
開閉自在な蓋と、前記蓋の開閉を検知するスイッチを設け、制御部は、前記スイッチにより前記蓋が開かれたことを検知して脱水槽の下段部を上昇するようにした請求項１または２記載の全自動洗濯機。
【発明の詳細な説明】
【０００１】
【産業上の利用分野】
本発明は、洗濯工程、すすぎ工程、脱水工程などからなる全工程を連続して自動的に行うことのできる全自動洗濯機において、洗濯終了時の洗濯物を取り出し易くする手段に関するものである。
【０００２】
【従来の技術】
従来、この種の全自動洗濯機は、脱水槽と洗濯槽の二つの槽を有し、脱水槽は洗濯槽内に同心円的に取り付けられている。洗濯槽はサスペンションを介して洗濯槽を囲む外枠の上部より防振支持されている。
【０００３】
脱水槽の側面には多数の脱水孔があり、脱水槽底部中央にある撹拌翼とともに洗濯兼脱水の役割を果たしている。変速機、モータは洗濯槽の下面に固定されている。モータの回転はＶベルトを介して変速機に伝えられる。
【０００４】
ここで、洗濯終了時には利用者が脱水漕の底面に位置する洗濯物を脱水槽の中から取り出していた。最近、外枠の前面部を低くしたり、洗濯槽の幅を広げて容量を確保することにより高さを低くした洗濯機が開発されている。
【０００５】
【発明が解決しようとする課題】
しかしながらこのような構成では、背の低い女性や、背の低い高齢者は洗濯終了時に洗濯物を取り出しにくく、また背伸びしたり腰を曲げたりと体に負担がかかる。
【０００６】
そこで本発明はこのような問題点を解決するものであり、洗濯終了後に脱水槽の下段部を上昇させることで洗濯物の取り出し易すくすることを目的とする。
【０００７】
【課題を解決するための手段】
上記の目的を達成するために本発明の第一の手段は、脱水槽と、前記脱水槽内の底部に設けた撹拌翼と、前記脱水槽を外包する洗濯槽と、前記洗濯槽の底部に固着した動力伝達機構と、前記洗濯槽をサスペンションを介して支持する外枠と、前記脱水槽と撹拌翼を駆動するモータと、前記脱水槽と洗濯槽に給水を行う給水弁と、洗濯水の排水を行う排水弁と、制御部とを備え、前記脱水槽は、上下に分割された上段部と下段部を有し、洗濯終了時に前記下段部が前記動力伝達機構により上昇するようにしたものである。
【０００８】
第二の手段は、撹拌翼は、脱水槽とともに上昇した位置からさらに上昇するようにしたものである。
【０００９】
第三の手段は、開閉自在な蓋と、前記蓋の開閉を検知するスイッチを設け、制御部は、前記スイッチにより前記蓋が開かれたことを検知して脱水槽の下段部を上昇するようにしたものである。
【００１０】
【作用】
本発明の第一の手段は、以下のように作用するものである。洗濯終了時に蓋の開閉を検知するスイッチから蓋開の情報が入力されると制御手段の出力により、二段式の脱水槽の下段部が上昇し、洗濯物が取り出しやすい全自動洗濯機を提供することができる。
【００１１】
本発明の第二の手段は、以下のように作用するものである。洗濯終了時に蓋の開閉を検知するスイッチから蓋開の情報が入力されると制御手段の出力により、二段式の脱水槽の下段部が上昇する。さらに撹拌翼が上昇して洗濯物を持ち上げることにより、洗濯物が取り出しやすい全自動洗濯機を提供することができる。
【００１２】
本発明の第三の手段は、以下のように作用するものである。洗濯終了時には蓋の開閉を検知するスイッチから蓋開の情報が入力されると制御手段の出力により、二段式の脱水槽の下段部が上昇する。このため洗濯物が取り出しやすい全自動洗濯機を提供することができる。
【００１３】
【実施例】
（実施例１）
以下、本発明の実施例を添付図面に基いて説明する。
【００１４】
図１は本発明の第一の実施例における洗濯機の断面図である。図１において、洗濯槽１の底部にはクラッチを含む動力伝達機構３が固着されている。この動力伝達機構３は洗濯槽１の底部に固着されたモータ２とベルト４で連結されている。動力伝達機構３の内側の撹拌翼軸５には撹拌翼６が固定されている。脱水槽７の上部には流体バランサ８が具備され、脱水槽７の回転を円滑に行わせる。洗濯槽１は外枠９の上端四隅よりサスペンション１０を介して弾性的に吊り下げ支持されている。１１は蓋であり、１２は前記蓋１１の開閉を検知する蓋スイッチ、１３は本洗濯機を制御する制御部であり、マイクロコンピュータ等で構成されている。
【００１５】
図２は本実施例における脱水槽７および洗濯槽１の構成図である。図２のように洗濯槽１内の脱水槽７は二段構成になっており、上段部７ａと下段部７ｂにより構成される。この下段部７ｂは動力伝達機構３等からクラッチ等を介して上方に移動できる。
【００１６】
ここでこの動作を説明する。洗濯を開始すると洗濯工程、すすぎ工程、脱水工程などの全行程を連続して自動的に行う。この全行程終了時に使用者が洗濯物を取り出すために蓋１１を開ける。ここで蓋１１の開閉を検知するスイッチ１２から蓋開の情報が入力されると制御部１３の出力により、二段式の脱水槽７の下段部７ｂが動力伝達機構３等からクラッチ等を介して上昇し、上段部７ａの内側のほぼ同じ高さになる。この結果使用者が洗濯物を取り出すときに洗濯槽１内に深く手を入れる必要がなく、楽な姿勢と、運動で行える全自動洗濯機を提供することができる。
【００１７】
（実施例２）
以下、本発明の第二の発明の一実施例を図１及び図３にもとづいて説明する。洗濯機の基本構成および振動検出手段の構成は実施例１と同じ構成になっている。図３は本実施例における脱水槽７および洗濯槽１の構成図である。図３のように洗濯槽１内の脱水槽７は二段構成になっており、上段部７ａと下段部７ｂにより構成される。この下段部７ｂは動力伝達機構３等からクラッチ等を介して上方に移動できる。
【００１８】
ここでこの動作について説明する。洗濯を開始すると洗濯工程、すすぎ工程、脱水工程などの全行程を連続して自動的に行う。この全行程終了時に使用者が洗濯物を取り出すために蓋１１を開ける。ここで蓋１１の開閉を検知するスイッチ１２から蓋開の情報が入力されると制御部１３の出力により、二段式の脱水槽７の下段部７ｂが動力伝達機構３等からクラッチ等を介して上昇し、上段部７ａの内側のほぼ同じ高さになる。さらに脱水槽内の撹拌翼も動力伝達機構３等からクラッチ等を介して上昇する。この結果使用者が洗濯物を取り出すときに洗濯槽１内に深く手を入れる必要がなく、楽な姿勢と、運動で行える全自動洗濯機を提供することができる。
【００１９】
（実施例３）
以下、本発明の第三の発明の一実施例を図１および図４にもとづいて説明する。洗濯機の基本構成および振動検出手段の構成は実施例１と同じ構成になっている。図４は本実施例における脱水槽７および洗濯槽１の構成図である。図４のように洗濯槽１内の脱水槽７は二段構成になっており、上段部７ａと下段部７ｂにより構成される。この下段部７ｂは動力伝達機構３からクラッチ等を介して上方に移動できる。
【００２０】
ここでこの動作について説明する。まず、洗濯を開始すると洗濯工程、すすぎ工程、脱水工程などの全行程を連続して自動的に行う。ここで脱水行程時において、脱水開始時の排水によって洗濯物は脱水槽下段部に位置される。ここで脱水槽の回転は脱水槽上段部は停止したままとし、下段部のみ回転する。このため脱水時の重量が低減でき、高速回転が実現できる。さらに全行程終了時に使用者が洗濯物を取り出すために蓋１１を開ける。ここで蓋１１の開閉を検知するスイッチ１２から蓋開の情報が入力されると制御部１３の出力により、二段式の脱水槽７の下段部７ｂが動力伝達機構３からクラッチ等を介して上昇し、上段部７ａの内側のほぼ同じ高さになる。この結果使用者が洗濯物を取り出すときに洗濯槽１内に深く手を入れる必要がなく、楽な姿勢と、運動で行える全自動洗濯機を提供することができる。
【００２１】
（実施例４）
以下、本発明の第４の発明の一実施例を図１および図５にもとづいて説明する。洗濯機の基本構成および振動検出手段の構成は実施例１と同じ構成になっている。図６は本実施例における脱水槽７および洗濯槽１の構成図である。図６のように洗濯槽１内の脱水槽７は洗濯槽に比べて低くなっている。この脱水槽は動力伝達機構３等からクラッチ等を介して上方に移動できる。
【００２２】
ここでこの動作について説明する。まず、洗濯を開始すると洗濯工程、すすぎ工程、脱水工程などの全行程を連続して自動的に行う。ここで脱水行程時において、脱水開始時の排水によって洗濯物は脱水槽内に位置される。ここで脱水槽の回転は脱水槽の重量が従来より低減できるため、高速回転が実現できる。さらに全行程終了時に使用者が洗濯物を取り出すために蓋１１を開ける。ここで蓋１１の開閉を検知するスイッチ１２から蓋開の情報が入力されると制御部１３の出力により、脱水槽７が動力伝達機構３等からクラッチ等を介して上昇し、洗濯槽と同じ高さになる。この結果使用者が洗濯物を取り出すときに洗濯槽１内に深く手を入れる必要がなく、楽な姿勢と、運動で行える全自動洗濯機を提供することができる。
【００２３】
【発明の効果】
本発明によれば、脱水槽と、前記脱水槽内の底部に設けた撹拌翼と、前記脱水槽を外包する洗濯槽と、前記洗濯槽の底部に固着した動力伝達機構と、前記洗濯槽をサスペンションを介して支持する外枠と、前記脱水槽と撹拌翼を駆動するモータと、前記脱水槽と洗濯槽に給水を行う給水弁と、洗濯水の排水を行う排水弁と、制御部とを備え、前記脱水槽は、上下に分割された上段部と下段部を有し、洗濯終了時に前記下段部が前記動力伝達機構により前記撹拌翼とともに上昇するようにしたから、洗濯物の取り出しを容易に行うことができる。
【図面の簡単な説明】
【図１】  本発明の実施例１の全自動洗濯機の構成図
【図２】  同全自動洗濯機の脱水槽および洗濯槽の構成図
【図３】  本発明の実施例２の脱水槽と撹拌翼の構成図
【図４】  本発明の実施例３の脱水槽および洗濯槽の構成図
【図５】  本発明の実施例４の脱水槽および洗濯槽の構成図
【符号の説明】
１  洗濯槽
２  モータ
３  動力伝達機構
４  ベルト
５  撹拌軸
６  撹拌翼
７  脱水槽
８  流体バランサ
９  外枠
１０  サスペンション
１１  蓋
１２  蓋スイッチ
１３  制御部
【図１】
0003774909.tif 000002
【図２】
0003774909.tif 000003
【図３】
0003774909.tif 000004
【図４】
0003774909.tif 000005
【図５】
0003774909.tif 000006